(57)【要約】【課題】形態的に妙味にあり、近年のエコロジーの社会的要請に応えることができて、しかも十分な強度、耐久性を備える団扇を提供する。【解決手段】団扇１では、本体３と補強板７との重合部分を持ち、本体穴５、対応穴９に指を入れる。そして、手首を軽く動かして、団扇１を揺動させて風を送るようにする。本体３と補強板７との重合部分において、繊維Ｓ１と繊維Ｓ２が網目状に配置され、高い強度、弾性力を発揮するので、団扇１を勢いよく揺動させても、団扇１が破損することはない。従って、団扇１は十分な強度、耐久性を備えることになる。また、団扇１を揺動させたとき、本体３と補強板７との重合部分が弾性力を発揮するため、団扇１が撓り、効率よく風を送ることができる。本体３の縁部分のほぼ三日月状の補強板７を貼着した形態であるため、妙味のある形態となる。従って、土産物等として適したものとなる。【選択図】        図１
0003172697.tif 000002
【実用新案登録請求の範囲】
【請求項１】
木の無垢材の薄板から成る本体と、前記本体の縁部分に形成された本体穴と、前記本体穴の周辺に重合して貼着され木の無垢材の薄板から成る補強板と、前記補強板が本体に貼着された状態で前記本体穴に対応する対応穴とを有する団扇であって、本体の繊維の方向は上下方向へ延びており、前記補強板の繊維の方向が前記本体の繊維の方向とが交差していることを特徴とする団扇。
【請求項２】
請求項１に記載した団扇において、少なくとも本体はヒノキ材であることを特徴とする団扇。
【請求項３】
請求項１または２に記載した団扇において、本体は円板状であることを特徴とする団扇。
【考案の詳細な説明】
【技術分野】
【０００１】
本考案は団扇に係り、特に木製の団扇に関するものである。
【背景技術】
【０００２】
団扇は日用品としてだけでなく、美しい図柄、情緒溢れる文字等を施したものは土産物等としても、更にイベント等の粗品として広く利用されている。
特に、最近では節電の要請などから夏季において手軽な送風用具としても大いに見直されている。
団扇の典型的な形態としては特許文献１に記載された円形や楕円形の本体に細長い板状や棒状の柄を取り付けたものであり、構成材料はプラスチック、厚紙、合板等である。
【先行技術文献】
【特許文献】
【０００３】
【特許文献１】実用新案登録第３１３２１８５号公報
【考案の概要】
【考案が解決しようとする課題】
【０００４】
しかしながら、円形や楕円形の本体に細長い板状や棒状の柄を取り付けた形態の従来の団扇は妙味に欠け、土産物としては不十分である。また、構成材料もプラスチック等では近年のエコロジーの社会的要請にも応えるものではない。
また、厚紙によって構成した団扇は強度、耐久性に乏しいという問題がある。
本考案は上記に従来の問題的に着目して為されたものであり、形態的に妙味にあり、近年のエコロジーの社会的要請に応えることができて、しかも十分な強度、耐久性を備える団扇の提供を、その目的とする。
【課題を解決するための手段】
【０００５】
本考案は上記課題を解決するためになされたものであり、請求項１の考案は、木の無垢材の薄板から成る本体と、前記本体の縁部分に形成された本体穴と、前記本体穴の周辺に重合して貼着され木の無垢材の薄板から成る補強板と、前記補強板が本体に貼着された状態で前記本体穴に対応する対応穴とを有する団扇であって、本体の繊維の方向は上下方向へ延びており、前記補強板の繊維の方向が前記本体の繊維の方向とが交差していることを特徴とする団扇である。
【０００６】
請求項２の考案は、請求項１に記載した団扇において、少なくとも本体はヒノキ材であることを特徴とする団扇である。
【０００７】
請求項３の考案は、請求項１または２に記載した団扇において、本体は円板状であることを特徴とする団扇である。
【考案の効果】
【０００８】
本考案の団扇では、形態的に妙味を発揮することができる。また、近年のエコロジーの社会的要請に応えることが可能である。更に十分な強度、耐久性を備えることができるようになる。
【図面の簡単な説明】
【０００９】
【図１】本考案の実施の形態に係る団扇の正面図である。
【図２】図１の団扇の分解斜視図である。
【図３】図１の団扇の入浴剤としての利用方法を説明するための図である。
【考案を実施するための形態】
【００１０】
本考案の実施の形態に係る団扇１を図面にしたがって説明する。
符号３は本体を示し、この本体３はヒノキの無垢材の薄板から成り、円板形に形成されている。本体３の縁部分には楕円形の本体穴５が形成されている。
本体３の直径は１９６ｍｍ、厚さ寸法が０．８ｍｍである。本体穴５の長さ寸法（左右方向の幅寸法）は４６ｍｍ、本体穴５の最大高さ寸法（上下方向の最も大きい部分の寸法）は２５ｍｍである。
本体３の繊維Ｓ１の方向は上下方向へ延びている。なお図では繊維Ｓ１の方向を直線で示しているが、本体３は無垢材であることから上下方向へ延びる繊維Ｓ１の方向は多少湾曲等している。
【００１１】
符号７は補強板を示し、この補強板７は無垢材のヒノキの薄板から成り、両端部がアール状のほぼ三日月形に形成されている。補強板７の外縁部７ａは本体３の外縁部と同じ曲率の円弧状に形成されている。
補強板７の縁部分には対応穴９が形成されており、この対応穴９は本体穴５と同じ形状、寸法に形成されている。
【００１２】
補強板７の長さ寸法（左右方向の幅寸法）は１８５ｍｍ、最大高さ寸法（上下方向の最も大きい部分の寸法）は４６ｍｍであり、厚さ寸法が０．８ｍｍである。
補強板７の繊維Ｓ２の方向は左右方向へ延びている。なお図では繊維Ｓ２の方向を直線で示しているが、補強板７は無垢材であることから左右方向へ延びる繊維Ｓ２の方向は多少湾曲等している。
【００１３】
補強板７は本体３の縁部分に貼着されており、補強板７の繊維Ｓ２の方向は本体３の繊維Ｓ１の方向と交差している。従って、本体３と補強板７との重合部分では、繊維Ｓ１と繊維Ｓ２が網目状となるように配置され、高い強度、弾性力を発揮することが可能である。
なお、補強板７の外縁部７ａは本体３の外縁部と同じ曲率の円弧状に形成されているので、補強板７の外縁部７ａは本体３の外縁部に沿って配置されることになり、十分な強度を得ることができるだけでなく、デザイン的にも優れたものとなる。
団扇１は以上のように構成されている。
【００１４】
次に、この団扇１の使用方法について説明する。
この団扇１では、本体３と補強板７との重合部分を持ち、本体穴５、対応穴９に指を入れる。そして、手首を軽く動かして、団扇１を揺動させて風を送るようにする。
上述のように本体３と補強板７との重合部分において、繊維Ｓ１、Ｓ２とが網目状となるように配置され、高い強度、弾性力を発揮するので、団扇１を勢いよく揺動させても、団扇１が破損することはない。従って、団扇１は十分な強度、耐久性を備えることになる。
また、団扇１を揺動させたとき、本体３と補強板７との重合部分が弾性力を発揮するため、団扇１が撓り、効率よく風を送ることができる。
【００１５】
また、従来の円形や楕円形の本体に細長い板状や棒状の柄を取り付けたものとは異なり、本体３の縁部分のほぼ三日月状の補強板７を貼着した形態であるため、妙味のある形態となる。従って、土産物等として適したものとなる。
更に、本体３の特に補強板７が貼着されない部分の面積が大きくとれるので、この部分に図柄、文字等を配置することが可能であり、このようにすることで土産物、イベント等の粗品として、ニーズにあったものとすることが可能となる。
【００１６】
また、団扇１は無垢材のヒノキを構成材料としているので、近年のエコロジーの社会的要請に応えることができるものである。
更に、団扇１を廃棄する場合にも単に捨ててしまうのではなく、図３（Ａ）において一点鎖線で示す部分で本体３を切断して、同図（Ｂ）に示すように本体３の補強板７を貼着するために使用された接着剤が付着していない部分だけにする。そして、これを適当な大きさに切断し布袋等に収容し、これを風呂の湯に浸漬すれば、ヒノキチオール等の成分が溶出して、ヒノキ風呂のような香気を楽しむことができる。このように団扇１は入浴剤として使用も可能である。
【００１７】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では、本体３、補強板７をヒノキの無垢材によって構成したが、本考案はこれに限定されず、例えば杉などのヒノキ以外の木材の無垢材によって構成してもよい。また、本体３と補強板７とを異なる種類の木材によって構成してもよい。
また、本体の形状は円板形に限定されず、楕円板形、多角形の板状等、他の形状としてもよい。また、本体穴５、対応穴９の形状は楕円形に限らず、真円形等他の形状としてもよい。
【産業上の利用可能性】
【００１８】
本考案の団扇は団扇の製造業において利用可能性を有する。
【符号の説明】
【００１９】
１…団扇                        ３…本体
５…本体穴                        ７…補強板
７ａ…補強板の外縁部              ９…対応穴
【図１】
0003172697.tif 000003
【図２】
0003172697.tif 000004
【図３】
0003172697.tif 000005